(57)【特許請求の範囲】
【請求項１】
コンクリート壁面を取り付けの対象としたコンクリートパネルであって、このコンクリートパネルの表面に複数に区画された区画デザイン面が形成され、この区画デザイン面のうち、一部の区画デザイン面がコンクリート地肌を汚損抑制処理した汚損抑制面に形成され、他の区画デザイン面がコンクリート地肌のままの地肌面に形成されて、前記汚損抑制面と地肌面との間の明度差によるコントラストを利用してデザインが表現されるようにしたことを特徴としたコンクリート壁面用コンクリートパネル。
【請求項２】
コンクリート壁面を取り付けの対象としたコンクリートパネルであって、このコンクリートパネルの表面に複数に区画された区画デザイン面が形成され、この区画デザイン面のうち、一部の区画デザイン面がコンクリート地肌を汚損抑制処理した汚損抑制面に形成され、他の区画デザイン面のうちの一部の区画デザイン面がコンクリート地肌のままの地肌面に形成されて、前記汚損抑制面と地肌面との間の明度差によるコントラストを利用してデザインが表現されるように形成され、残りの区画デザイン面が塗料により塗装を施こした塗装面と、顔料により着色を施こした着色面と、コンクリート地肌をハツリ加工したハツリ面と、コンクリート地肌を研磨加工した研磨面のうちから選択した１種類又は２種類以上の面に形成されていることを特徴としたコンクリート壁面用コンクリートパネル。
【発明の詳細な説明】
【０００１】
【発明の属する技術分野】
本発明は、擁壁用ブロック等を用いて構築されたブロック擁壁や現場打ちによって構築された現場打ち擁壁、その他コンクリート構造物等のコンクリート壁面を取り付けの対象としたコンクリートパネルに関する。
【０００２】
【従来の技術】
コンクリートブロック（Ｌ型ブロックや大型積みブロック等）については、そのコンクリート壁面自体に、種々のデザインを施したもの等が知られている。
ただ、パネルを取り付けることによってデザイン等を形成したものは見当らない。
又、現場打ちによって構築されたコンクリート擁壁やコンクリート構造物についても、そのコンクリート壁面にパネルを取り付けることによってデザインを形成したものは見当らない。
【０００３】
【発明が解決しようとする課題】
しかしながら、このようなデザインをコンクリート壁面に形成する場合、コンクリートブロックにあっては、デザインごとの型枠が必要になるし、又、現場打ちによるコンクリート壁面にあっては、そのデザインを現場で施工する必要が生じる。
そこで、予め表面にデザインを施したパネルをコンクリート壁面に取り付けるようにすれば、コンクリート壁面にデザインを簡単に施すことができる。
【０００４】
又、コンクリート壁面にデザインを施したとしても、その表面がコンクリート地肌のままであると、時の経過に伴う風化、老化、酸性雨等によって表面に汚れや黒ずみが生じたり、又、部分的に雨水の流れ跡が着くなど、外観上の見栄えが悪くなるといった問題が生じる。
【０００５】
本発明は、上述のような従来の問題点を解決するためになされたもので、コンクリート壁面にデザインを施すに当たり、表面にデザインを施したパネルを用い、このパネルをコンクリート壁面に取り付けることにより、簡単にデザインを施すことができるようにし、従来の問題点である表面の汚れに着目し、逆にこの汚れを利用してデザインを施すことができるようにしたコンクリート壁面用コンクリートパネルを提供することを課題としている。
【０００６】
【課題を解決するための手段】
上記課題を解決するために、本発明（請求項１）のコンクリート壁面用コンクリートパネルは、コンクリート壁面を取り付けの対象としたコンクリートパネルであって、このコンクリートパネルの表面に複数に区画された区画デザイン面が形成され、この区画デザイン面のうち、一部の区画デザイン面がコンクリート地肌を汚損抑制処理した汚損抑制面に形成され、他の区画デザイン面がコンクリート地肌のままの地肌面に形成されて、前記汚損抑制面と地肌面との間の明度差によるコントラストを利用してデザインが表現されるようにした構成とした。
【０００７】
このように本発明では、表面にデザインを施したコンクリートパネルをコンクリート壁面に取り付けるため、コンクリート壁面に簡単にデザインを施すことができる。
このコンクリートパネルの取り付け対象となるコンクリート壁面としては、擁壁用ブロック（Ｌ型ブロックや大型積みブロック等）や間知ブロック、法面ブロック等を用いて構築されたブロック擁壁等のコンクリート壁面、空洞ブロックを用いて構築されたブロック塀等のコンクリート壁面、現場打ちによって構築された現場打ち擁壁等のコンクリート壁面、その他、コンクリート構造物（高架道路の橋脚や橋桁、コンクリート建造物の躯体、港湾や河川の岸壁、ダム等）等がある。
【０００８】
又、本発明において、汚損抑制面は、コンクリート地肌に防カビ剤や撥水剤（例えば、商品名コンフィックスＳＭ−７恒和化学工業株式会社製、商品名スリーロンジーＺ−５００スリーボンドユニコム株式会社製等のシアン化合物系）、また、透明塗料（例えば、商品名ダイスコート６００Ｄ大日精化工業株式会社製）を塗布することにより雨水やホコリによる汚れを抑制したものである。
又、地肌面はコンクリート地肌のままの面であり、汚れを許容したものである。即ち、長期的には地肌面は汚れが付き、汚損抑制面は汚れが付きににくなり、この汚れの差がデザインになるもので、この点がデザインの基本である。
従って、汚れが抑制されることによってコンクリート地色のままに維持された汚損抑制面と、汚れによって黒ずみが生じた地肌面との間では明度に差が生じ、この明度差によるコントラストを利用したデザインを表現することができる。
特に、雨の日には、地肌面が雨を吸い込んで黒ずみ、一方の汚損抑制面は雨水をはじいて白く見えるため明度差が大きくなる。このように明度差を生じさせることが汚損抑制面の技術効果であり、これにより自然の力を利用して壁面表情に変化を与えることができる。
【０００９】
又、本発明（請求項２）のコンクリート壁面用コンクリートパネルは、コンクリート壁面を取り付けの対象としたコンクリートパネルであって、このコンクリートパネルの表面に複数に区画された区画デザイン面が形成され、この区画デザイン面のうち、一部の区画デザイン面がコンクリート地肌を汚損抑制処理した汚損抑制面に形成され、他の区画デザイン面のうちの一部の区画デザイン面がコンクリート地肌のままの地肌面に形成されて、前記汚損抑制面と地肌面との間の明度差によるコントラストを利用してデザインが表現されるように形成され、残りの区画デザイン面が塗料により塗装を施こした塗装面と、顔料により着色を施こした着色面と、コンクリート地肌をハツリ加工したハツリ面と、コンクリート地肌を研磨加工した研磨面のうちから選択した１種類又は２種類以上の面に形成されている構成とした。
【００１０】
このように、汚損抑制面及び地肌面に加えて、塗装面、着色面、ハツリ面、研磨面を形成するようにすると、それだけデザインパターンが広くなり、多様なデザインを表現することができる。
【００１１】
尚、上記した塗装面を形成するための塗装処理としては、コンクリート地肌にシーラを塗布した上から塗料を塗布して塗膜を形成させることになる。
この場合の塗料としては、合成樹脂バインダ塗料、透湿性塗料、骨材含有塗料等を使用できるもので、特に制限はない。
又、塗料の塗布については、スプレー装置を用いた吹き付け塗装や刷毛塗り塗装により行うことができる。
又、コンクリート地肌にシーラを塗布しただけのもの（塗料を塗布しないもの）についても本発明で言う塗装面に含めるものとする。
【００１２】
又、着色面を形成するための着色処理としては、水に溶かした顔料をコンクリート地肌に塗布したり、粉末の顔料をコンクリート地肌に塗布したのち上から透明クリア（トップコート）でコーティングすることにより顔料を含浸させるもの。あるいはコンクリート型枠の内面に顔料、骨材、樹脂を接着剤により仮付けした状態でコンクリート成型することで、コンクリート面に転写によって顔料を含浸させるもの。又、コンクリート地肌に着色剤と発色剤と促進剤とを塗布して反応させることにより着色させるもの等がある。
【００１３】
又、ハツリ面を形成するためハツリ加工としては、ハンディータイプの電動工具に装着した多数の針棒材でコンクリート地肌を叩打する機械的なハツリ加工、ウオータジェットガンから高圧水を壁面に向けて噴射するハツリ加工、砂粒や金属粒を噴射するサンドブラストによるハツリ加工のいずれを使用してもよい。
このようにハツリ加工されたハツリ面は、コンクリート表面が粗く削られて骨材や砕石が露出した状態になり、あたかも自然石を割ったような感じになる。
尚、このハツリ面はコンクリート表面が粗く削られて骨材や砕石が露出した状態になるため、その表面が雨水やホコリによって汚れやすくなる。このため、ハツリ面を撥水剤や防カビ剤の塗布によって汚損抑制処理したり、あるいはハツリ面の上から透明な塗料等を塗布すれば、雨水やホコリによるハツリ面の汚れを抑制することができる。
又、ハツリの程度は、鉄筋のかぶりに影響がない深さで行なうことになる。
【００１４】
研摩面は、コンクリート地肌を回転砥石や回転ワイヤブラシを用いて研摩加工したもので、研摩部分が光沢を持つと同時にコンクリート地肌のままの部分に比べて黒く（濃い灰色）なって、いわゆる黒光りした状態になる。
即ち、塗装面や着色面と異なり、新たなデザイン技術としてこれをコンクリートに利用することにより、コンクリートでありながら、自然石を磨いた状態になり、自然な風合いを表現して、美観を向上することができる。
尚、この研摩面を汚損抑制処理してもよい。
【００１５】
【発明の実施の形態】
以下、本発明の実施の形態を図面により詳述する。尚、以下に述べる各実施の形態において、同一構成部分は図面の符号を同一にする。
図１は実施の第１形態であって、コンクリート壁面用コンクリートパネル（以下、コンクリートパネルという）を示す斜視図である。
【００１６】
このコンクリートパネル２は、Ｌ型ブロック１のコンクリート壁面１０を取り付けの対象としている。
このコンクリートパネル２は、コンクリートにより平板状に形成され、その表面に目地溝２０によって複数に区画された擬石状の区画デザイン面２１が形成されている。
又、このコンクリートパネル２において、全ての区画デザイン面２１のうち、一部の区画デザイン面の表面が汚損抑制面３（図中点模様を付して示す）に形成され、他の区画デザイン面の表面が地肌面４に形成されている。
尚、コンクリートパネル２のコンクリート壁面１０に対する取り付けは、接着剤による接着、ビス止め、ボルト止め等を用いて行なうことができる。
【００１７】
従って、このコンクリートパネル２の表面には、擬石状の区画デザイン面２１によって石垣状デザインが施され、そして、このコンクリートパネル２をコンクリート壁面１０に取り付けるため、コンクリート壁面１０に簡単に石垣状デザインを施すことができる。
又、このコンクリートパネル２では、汚れが抑制されることによってコンクリート地色のままに維持された汚損抑制面３と、汚れによって黒ずみが生じた地肌面４とが形成されているため、この汚損抑制面３と地肌面４の間では明度に差が生じ、この明度差によるコントラストを利用したデザインを表現することができる。
【００１８】
尚、この実施の第１形態において、区画デザイン面２１は平滑面でも凹凸面でもよいし、区画デザイン面２１をパネル本体と一体に形成してもよいし、パネル本体にパネル部材を取り付けることによって区画デザイン面２１を形成してもよい。
又、区画デザイン面２１の形状を方形に形成して、これを格子状に配列したり、千鳥格子状配列してもよい。
又、区画デザイン面２１を円形や多角形に形成したり、縦又は横又は斜め方向に延長する筋状に形成してストライプデザインに形成してもよい。
【００１９】
次に、図２は実施の第２形態であって、コンクリートパネルを示す斜視図である。
このコンクリートパネル２は、その表面に凸目地条２２によって複数に区画された方形状の区画デザイン面２１が形成されている。
又、このコンクリートパネル２において、区画デザイン面２１が、汚損抑制面３（図中点模様を付して示す）と、地肌面４と、塗装面５に形成されている。
このように、汚損抑制面３及び地肌面４に加えて、塗装面５を形成すると、それだけデザインパターンが広くなり、多様なデザインを表現することができる。
【００２０】
尚、この実施の第２形態においても、区画デザイン面２１は平滑面でも凹凸面でもよいし、凸目地条２２をパネル本体と一体に形成してもよいし、凸目地条部材をパネル本体に取り付けることによって区画デザイン面２１を形成してもよい。
又、区画デザイン面２１の形状を方形に形成して、これを格子状に配列したり、千鳥格子状配列してもよい。又、区画デザイン面２１を擬石状や円形や多角形に形成したり、縦又は横又は斜め方向に延長する筋状に形成してストライプデザインに形成してもよい。
【００２１】
次に、図３は実施の第３形態であって、コンクリートパネルを示す斜視図である。
このコンクリートパネル２は、その表面に縦筋溝２３によって複数に区画された筋状の区画デザイン面２１が形成されている。
又、このコンクリートパネル２において、区画デザイン面２１が、汚損抑制面３（図中点模様を付して示す）と、地肌面４、塗装面５と、着色面６に形成されている。
【００２２】
尚、この実施の第３形態において、縦筋溝２３及び区画デザイン面２１の断面形状は、方形、三角形、半円形等でもよいし、又、筋の延長方向は、縦、横、斜めでもよい。
【００２３】
次に、図４は実施の第４形態であって、コンクリートパネルを示す斜視図である。
このコンクリートパネル２は、その表面に複数に区画された区画デザイン面２１が形成されている。この場合、各区画デザイン面２１は、コンクリートパネル２の表面を、下地領域と円形領域によって水玉デザインを形成するように区画しただけであり、図面では便宜上、円形領域の輪郭線を描いているが、実際にはこの輪郭線は現われない。
又、このコンクリートパネル２において、区画デザイン面２１が、汚損抑制面３（図中点模様を付して示す）と、地肌面４、塗装面５と、着色面６、ハツリ面７と、研磨面８形成されている。
【００２４】
尚、この実施の第４形態において、区画デザイン面２１の形状は、方形領域又は三角形領域又は多角形領域又は動物等の絵柄領域等を下地領域と組み合わせたり、あるいは、下地領域を設けずに、石垣状や格子状やストライプ状等に区画してもよい。
【００２５】
次に、図５は実施の第５形態であって、コンクリートパネルを示す斜視図である。
このコンクリートパネル２は、その表面に塗装による線２４によって複数に区画された三角形状の区画デザイン面２１が形成されている。
又、このコンクリートパネル２において、区画デザイン面２１が、汚損抑制面３（図中点模様を付して示す）と、地肌面４、着色面６と、ハツリ面７に形成されている。
【００２６】
尚、この実施の第５形態において、線２４は、テープや細幅薄板を接着やビス止め等で取り付けることで形成してもよい。
又、区画デザイン面２１の形状についても、方形領域又は三角形領域又は多角形領域又は動物等の絵柄領域等を下地領域と組み合わせたり、あるいは、下地領域を設けずに、石垣状や格子状やストライプ状等に区画してもよい。
【００２７】
次に、図６は実施の第６形態であって、コンクリートパネルを示す斜視図である。
このコンクリートパネル２は、その表面に突起部を形成し、この突起部の表面を区画デザイン面２１としたものである。
この場合、コンクリートパネル２の表面を下地面２５とし、この上に突起部としての直方体２６と石状体２７が形成され、そして、下地面２５と、直方体２６の正面と、石状体２７の全面がそれぞれ区画デザイン面２１として形成されている。
又、このコンクリートパネル２において、区画デザイン面２１が、汚損抑制面３（図中点模様を付して示す）と、地肌面４と、ハツリ面７に形成されている。
【００２８】
尚、この実施の第６形態において、突起部は、パネル本体と一体に形成してもよいし、別に成形した突起部をパネル本体に取り付けてもよい。又、突起部の形状は、円錐や角錐、円柱、半球形等でもよく、その形状は問わない。
【００２９】
【発明の効果】
以上説明してきたように、本発明（請求項１）のコンクリートパネルにあっては、表面にデザインを施したコンクリートパネルパネルをコンクリート壁面に取り付けるため、コンクリート壁面に簡単にデザインを施すことができる。
又、汚れが抑制されることによってコンクリート地色のままに維持された汚損抑制面と、汚れによって黒ずみが生じた地肌面との間の明度差によるコントラストを利用したデザインを表現することができる。
特に、雨の日には、地肌面が雨を吸い込んで黒ずみ、一方の汚損抑制面は雨水をはじいて白く見えるため明度差が大きくなる。
このように明度差を生じさせることが汚損抑制面の技術効果であり、これにより自然の力を利用して壁面表情に変化を与えることができる。
【００３０】
又、本発明（請求項２）のコンクリートパネルにあっては、汚損抑制面及び地肌面に加えて、塗装面、着色面、研磨面、ハツリ面の中から任意に選択して組み合わせことができるため、デザインパターンが広くなり、多様なデザインを表現することができる。
【図面の簡単な説明】
【図１】  実施の第１形態であって、コンクリートパネルを示す斜視図である。
【図２】  実施の第２形態であって、コンクリートパネルを示す斜視図である。
【図３】  実施の第３形態であって、コンクリートパネルを示す斜視図である。
【図４】  実施の第４形態であって、コンクリートパネルを示す斜視図である。
【図５】  実施の第５形態であって、コンクリートパネルを示す斜視図である。
【図６】  実施の第６形態であって、コンクリートパネルを示す斜視図である。
【符号の説明】
１０  コンクリート壁面
２  コンクリートパネル
２１  区画デザイン面
３  汚損抑制面
４  地肌面
５  塗装面
６  着色面
７  ハツリ面
８  研磨面
【図１】
0003686550.tif 000002
【図２】
0003686550.tif 000003
【図３】
0003686550.tif 000004
【図４】
0003686550.tif 000005
【図５】
0003686550.tif 000006
【図６】
0003686550.tif 000007